(57)【要約】 【課題】  操作部材を操作することで、爪を出し入れできる爪進退式玩具とその使用方法の提供。【解決手段】  回動操作される操作部材６を有する基部材２と、基部材に対して関節組立体１０を介して軸支され、初期位置から回動位置に回動され、かつ操作部の押圧解除により回動位置から初期位置に回動されるように回動付勢される手組立体２０と、手組立体の内部に位置する待機位置と、複数の爪部１２ａが手組立体の先端から突出する突出位置との間で移動され、かつ待機位置に移動付勢される爪部材１２と、手組立体の回動動作に連動して爪部材を突出位置に移動させるための連動機構を備える。【選択図】  図２
2007202971.tif 000002
【特許請求の範囲】
【請求項１】
回動操作される操作部を有する基部材と、
前記基部材に対して関節組立体を介して軸支されるとともに、前記操作部の押圧操作により初期位置から回動位置に回動され、かつ前記操作部の押圧解除により前記回動位置から前記初期位置に回動されるように回動付勢される手組立体と、
複数の爪部が前記手組立体の内部に位置する待機位置と、前記複数の爪部が前記手組立体の先端から突出する突出位置との間で移動され、かつ前記待機位置に移動付勢される爪部材と、
前記手組立体の前記回動動作に連動して、前記爪部材を前記待機位置から前記突出位置に移動させるための連動手段と、
を備えることを特徴とする爪進退式玩具。
【請求項２】
前記複数の爪部の本数は少なくとも２本以上、または４本、あるいは５本に設定されることを特徴とする請求項１に記載の爪進退式玩具。
【請求項３】
前記関節組立体は、
形状部材と、
前記基部材との間で前記軸支する第１ピン部材と、
前記手組立体との間で前記軸支する第２ピン部材と、
前記形状部材の側面に形成された第１カム面と、
前記第２ピン部材周りに形成された第２カム面とから構成され、
前記連動手段は、
一端が前記操作部に接続され、他端が前記手組立体に接続されるとともに、前記第１ピン部材および前記第２ピン部材と前記形状部材に固定された中間部材との間を通過させることで、引張り力を前記手組立体に伝達可能にした腱部材と、
前記第１カム面に対して摺接するように前記第２ピン部材周りに前記手組立体側に形成される摺接面と、
一端部が前記第２カム面に対して摺接され、他端部が前記爪部材の基部に対して摺接することで、前記爪部材を前記待機位置から前記突出位置に移動させるように前記手組立体内で揺動軸支される揺動カム部材とから構成され、
前記操作部が押圧操作されると、前記腱部材を介して前記引張り力が前記手組立体に伝達されることで、前記第１カム面に対して前記摺接面が当接して、前記手組立体が前記回動位置に向けて回動されることを特徴とする請求項１または２に記載の爪進退式玩具。
【請求項４】
前記操作部がさらに押圧操作されると、前記腱部材を介して前記引張り力が前記手組立体に伝達されるとともに、前記揺動カム部材の前記一端部が前記第２カム面に摺接されて前記揺動カム部材が揺動され、前記他端部が前記爪部材の基部に対して摺接することで、前記爪部材が前記待機位置から前記突出位置に移動されることを特徴とする請求項３に記載の爪進退式玩具。
【請求項５】
前記第１カム面は前記形状部材の両側面に一体形成され、前記手組立体側に形成される前記摺接面は前記第１カム面に対応する位置に一対分形成されるとともに、
前記第２カム面は前記形状部材の両端部に一体形成され、前記一端部は前記第２カム面に対応する位置に一対分が一体形成され、さらに前記他端部も一対分が一体形成されることを特徴とする請求項３または４に記載の爪進退式玩具。
【請求項６】
前記手組立体に前記複数の爪部が突出する孔部を穿設し、前記手組立体と、前記関節組立体と、前記基部材の表面全体とを覆うとともに、その開口端が前記基部材に形成された溝部に嵌る環状部材を用いて固定されるように有底筒状に形成されるカバー部材を備えたことを特徴とする請求項１乃至５のいずれか１項に記載の爪進退式玩具。
【請求項７】
前記カバー部材に対してシリコンラバー製を含む肉球を、縫合を含む方法で固定したことを特徴とする請求項１乃至６のいずれか１項に記載の爪進退式玩具。
【請求項８】
回動操作される操作部を有する基部材に対して関節組立体を介して軸支されるとともに、操作部の押圧操作により初期位置から回動位置に回動され、かつ前記操作部の押圧解除操作により前記回動位置から前記初期位置に回動されるように回動付勢される手組立体と、複数の爪部が前記手組立体の内部に位置する待機位置と、前記複数の爪部が前記手組立体の先端から突出する突出位置との間で移動され、かつ前記待機位置に移動付勢される爪部材と、前記手組立体の前記回動動作に連動して、前記爪部材を前記待機位置から前記突出位置に移動させるための連動手段と、を備えた爪進退式玩具の使用方法であって、
前記操作部を押圧操作することにより、前記関節組立体を介して前記手組立体が初期位置から回動位置に回動され、これに連動して複数の爪部が前記手組立体の先端から突出され、前記操作部を押圧解除操作することにより、前記関節組立体を介して前記手組立体が回動位置から初期位置に回動され、これに連動して複数の爪部を前記手組立体の先端から後退させることを特徴とする爪進退式玩具の使用方法。
【発明の詳細な説明】
【技術分野】
【０００１】
本発明は、爪進退式玩具に係り、操作部を操作することでよりリアルな動物の動作を任意に楽しむことのできる子供用玩具として好適な技術に関するものである。
【背景技術】
【０００２】
動物を模した種々の玩具の内で、手足の簡単な動きを再現可能にした玩具が提案されている。具体的には、手を開放状態と把持状態に任意に設定するために腕部分に相当する基部の端部において回動自在に手部材を軸支し、基部と手部材の間にコイルバネ機構を設けておき、手の回動にともないコイルバネが屈曲して引張り力が無くなる状態と、コイルバネが直線状になり引張り力を発生する状態とに任意に設定することで、開放状態と把持状態に保持できるように構成されている。このように構成された手または足を動物玩具本体に固定することで、動物が小物を把持した状態を任意に再現可能にして楽しく遊べるようにしている。（特許文献１）。
【０００３】
一方、動物玩具において、頭部、手足、尻尾のみを誇張して再現し、幼児などが任意に操作して動物に特徴的なユーモラスな動きを再現可能にした玩具も提案されている。
【特許文献１】実公昭５５−１４３８４号公報。
【発明の開示】
【発明が解決しようとする課題】
【０００４】
しかしながら、上記の動物に特徴的なユーモラスな動きを再現可能にした玩具の内で、例えば猫の手のユーモラスな動きを再現可能にした玩具によれば、操作部の操作を行うことで手招きする動作を再現できるが、それ以上の動作は再現できない。
【０００５】
したがって、本発明は上記の問題点に鑑みて成されたものであり、操作部を操作することでよりリアルな動物の動作を任意に楽しむことのできる爪進退式玩具とその使用方法の提供を目的としている。
【課題を解決するための手段】
【０００６】
上述した課題を解決し、目的を達成するために、本発明の爪進退式玩具によれば、回動操作される操作部を有する基部材と、前記基部材に対して関節組立体を介して軸支されるとともに、前記操作部の押圧操作により初期位置から回動位置に回動され、かつ前記操作部の押圧解除により前記回動位置から前記初期位置に回動されるように回動付勢される手組立体と、複数の爪部が前記手組立体の内部に位置する待機位置と、前記複数の爪部が前記手組立体の先端から突出する突出位置との間で移動され、かつ前記待機位置に移動付勢される爪部材と、前記手組立体の前記回動動作に連動して、前記爪部材を前記待機位置から前記突出位置に移動させるための連動手段と、を備えることを特徴としている。
【０００７】
また、前記複数の爪部の本数は少なくとも２本以上、または４本、あるいは５本に設定されることを特徴としている。
【０００８】
また、前記関節組立体は、形状部材と、前記基部材との間で前記軸支する第１ピン部材と、前記手組立体との間で前記軸支する第２ピン部材と、前記形状部材の側面に形成された第１カム面と、前記第２ピン部材周りに形成された第２カム面とから構成され、前記連動手段は、一端が前記操作部に接続され、他端が前記手組立体に接続されるとともに、前記第１ピン部材および前記第２ピン部材と前記形状部材に固定された中間部材との間を通過させることで、引張り力を前記手組立体に伝達可能にした腱部材と、前記第１カム面に対して摺接するように前記第２ピン部材周りに前記手組立体側に形成される摺接面と、一端部が前記第２カム面に対して摺接され、他端部が前記爪部材の基部に対して摺接することで、前記爪部材を前記待機位置から前記突出位置に移動させるように前記手組立体内で揺動軸支される揺動カム部材とから構成され、前記操作部が押圧操作されると、前記腱部材を介して前記引張り力が前記手組立体に伝達されることで、前記第１カム面に対して前記摺接面が当接して、前記手組立体が前記回動位置に向けて回動されることを特徴としている。
【０００９】
また、前記操作部がさらに押圧操作されると、前記腱部材を介して前記引張り力が前記手組立体に伝達されるとともに、前記揺動カム部材の前記一端部が前記第２カム面に摺接されて前記揺動カム部材が揺動され、前記他端部が前記爪部材の基部に対して摺接することにより、前記爪部材が前記待機位置から前記突出位置に移動されることを特徴としている。
【００１０】
また、前記第１カム面は前記形状部材の両側面に一体形成され、前記手組立体側に形成される前記摺接面は前記第１カム面に対応する位置に一対分形成されるとともに、前記第２カム面は前記形状部材の両端部に一体形成され、前記一端部は前記第２カム面に対応する位置に一対分が一体形成され、さらに前記他端部も一対分が一体形成されることを特徴としている。
【００１１】
また、前記手組立体に前記複数の爪部が突出する孔部を穿設し、前記手組立体と、前記関節組立体と、前記基部材の表面全体とを覆うとともに、その開口端が前記基部材に形成された溝部に嵌る環状部材を用いて固定されるように有底筒状に形成されるカバー部材を備えたことを特徴としている。
【００１２】
また、前記カバー部材に対してシリコンラバー製を含む肉球を、縫合を含む方法で固定したことを特徴としている。
【００１３】
そして、回動操作される操作部を有する基部材に対して関節組立体を介して軸支されるとともに、操作部の押圧操作により初期位置から回動位置に回動され、かつ前記操作部の押圧解除操作により前記回動位置から前記初期位置に回動されるように回動付勢される手組立体と、複数の爪部が前記手組立体の内部に位置する待機位置と、前記複数の爪部が前記手組立体の先端から突出する突出位置との間で移動され、かつ前記待機位置に移動付勢される爪部材と、前記手組立体の前記回動動作に連動して、前記爪部材を前記待機位置から前記突出位置に移動させるための連動手段と、を備えた爪進退式玩具の使用方法であって、前記操作部を押圧操作することにより、前記関節組立体を介して前記手組立体が初期位置から回動位置に回動され、これに連動して複数の爪部が前記手組立体の先端から突出され、前記操作部を押圧解除操作することにより、前記関節組立体を介して前記手組立体が回動位置から初期位置に回動され、これに連動して複数の爪部を前記手組立体の先端から後退させることを特徴としている。
【発明の効果】
【００１４】
本発明によれば、操作部材を押圧操作することで関節組立体を介して手組立体が初期位置から回動位置に回動され、これに連動して複数の爪部が手組立体の先端から突出され、また操作部を押圧解除することで、関節組立体を介して手組立体が回動位置から初期位置に回動され、これに連動して複数の爪部を手組立体の先端から後退させることができる新規な構造を備えた爪進退式玩具およびその使用方法を提供することができる。
【発明を実施するための最良の形態】
【００１５】
以下に、本発明の好適な一実施形態について添付の各図面を参照して述べる。
【００１６】
ここで、本発明は様々な修正と変更が可能であり、その内の特定の事例が図面に図示されており、以下に詳細に記述されることになるが、これらに限定されず請求の範囲に規定された範囲で種々の構成が可能であることは言うまでもなく、後述する玩具用途以外にも全ての爪進退式玩具に適用可能である。
【００１７】
先ず、図１（ａ）は本発明の一実施形態である爪進退式玩具１の操作前の状態を示した正面図、（ｂ）は、爪進退式玩具１の操作後の状態を示した正面図である。
【００１８】
図１において、この爪進退式玩具１は、動物として猫の手を模しているが、これに限定されず後述の爪の出し入れを行う全ての動物に適用可能である。この爪進退式玩具１は、子供が使用されることを前提としており、全長寸法が約１５ｃｍの全樹脂製（ただし、金属製ピン、スキンカバーなどを除く）であり、さらにボールチェーンＭを設けることで、例えばキーホルダーとしても使用できるように構成されている。また、鈴Ｋをさらに吊り下げることで猫を強調できるようにしている。
【００１９】
図１（ａ）において、この爪進退式玩具１は、後述するように回動操作される操作部材６を有する基部材２を設けている。この基部材２は、把持部３と溝部４とを一体成型しており、後述のように２分割されて構成されることで部品を内蔵可能にしている。この基部材２に対して第１ピン部材９を介して関節組立体１０が軸支される。
【００２０】
この関節組立体１０は第２ピン部材１１を介して手組立体２０を軸支している。この手組立体２０には爪部材１２が内蔵されており、図示の待機位置から図１（ｂ）に図示する突出位置に移動させるように構成されている。
【００２１】
一方、底部に爪部材１２の複数の爪部１２ａを突出する孔部を穿設し、かつ手組立体２０と関節組立体１０と基部材２の表面を覆う猫のスキンカバー７が図中の一点鎖線で示すように設けられている。このスキンカバー７は、起毛布から縫製されており、その開口端が基部材２に形成された溝部４に位置された状態で環状部材５を図中の矢印方向に移動および圧入することで固定される。また、このスキンカバー７に対してシリコンラバー製を含む肉球８を、縫合を含む方法で固定することでよりリアル感を演出している。
【００２２】
次に、図１（ｂ）をさらに参照して、以上のように構成される爪進退式玩具１の操作部材６を把持部３との間で把持して矢印Ｄ１方向に押圧操作すると、関節組立体１０と手組立体２０とが矢印Ｄ２方向に初期位置から回動位置に回動され、手組立体２０に内蔵されていた爪部材１２の爪部１２ａが後述する連動機構の作用によって待機位置から突出位置に移動されることで矢印Ｄ３方向に移動されて、スキンカバー７の孔部を介して外部に突出する。
【００２３】
また、操作部材６の押圧を解除すると、図１（ａ）に図示したように関節組立体１０を介して手組立体２０が回動位置から初期位置に回動されるとともに、これに連動して複数の爪部１２ａがスキンカバー７の孔部から引っ込むように手組立体２０の先端から後退される。
【００２４】
以上のように操作部材６を操作することでよりリアルな猫の手招き動作を楽しむことができる。また、操作部材６を高速で操作すると猫パンチの様子も再現できる。
【００２５】
ここで、爪部材１２の複数の爪部１２ａの本数は任意に設定でき、例えば鳥類の場合には２本、熊の場合には５本に設定することでリアルに構成できる。以下の説明では猫の前足から出没する爪の本数は４本であることから猫前足に模した場合について述べる。
【００２６】
図２は、図１の構成についてアイソメトリック図法で図示した立体分解図である。本図において、既に説明済みの構成または部品については同様の符号を附して説明を割愛すると、上記のように２分割されて構成される基部材２、２が樹脂成型されて準備される。
この基部材２の一方には、操作部材６の基部６ａに穿設された貫通孔６ｂを相通することで操作部材６を回動軸支するスタッド部３ａが把持部３の内側から延設されている。また、基部材２の一方には、基部材２の他方（手前側で一部を破断して示した）に形成された５つの孔部２ｃに夫々相通されるセルフタッピングネジ１６を螺合する螺合部２ｂが同数形成されている。
【００２７】
また、各基部材２、２の端部には金属製の第１ピン部材９を相通するための孔部２ａ、２ａが夫々形成されている。
【００２８】
一方、操作部材６の基部６ａには溝部を介して孔部６ｃ、６ｄが図示のように形成されており、この溝部に腱部材１４の端部１４ａをセットした後に、金属製のピン部材１３を各孔部６ｃ、６ｄに対して相通させることで端部１４ａの孔部１４ｂをピン部材１３で軸支することにより、腱部材１４の一方を操作部材６に対して接続するように構成されている。
【００２９】
この腱部材１４は、適度な弾性変形が可能でありかつまた十分な引張り抗力を有する例えばナイロン樹脂製とすると良い。この腱部材１４は、図中において中間部位を破断して示しており、端部１４ｃの孔部に金属製のピン部材１５を圧入し、ピン部材１５の両端を手組立体２０の手部品３０のＵ溝部３０ｆ、３０ｆ中に図示のように挿入することで、腱部材１４の他方を接続するように構成されている。
【００３０】
次に、関節組立体１０は、図示のように樹脂成型される形状部材２１から構成されており、この形状部材２１の手前側の片側壁面に穿設された孔部２１ａに上記の第１ピン部材９を通過させた後に、ステンレス製のトーションバネ２５の輪部を相通した後に、形状部材２１の奥側の片側壁面に穿設された孔部２１ａに第１ピン部材９を通過させ、基部材２の孔部２ａに通すことで関節組立体１０を回動可能にする。また、トーションバネ２５のアーム部２５ａは、基部材２の内面に、またアーム部２５ｂは、関節組立体１０の内面側に位置するようにして、関節組立体１０を常時図１に図示される初期位置に移動付勢するように構成されている。
【００３１】
この形状部材２１の両側面には、第１カム面２２ｃを形成したカム部材２２が夫々一体成型または別部材として固定されている。また、各カム部材２２の下方面には中間部材２８を２つのセルフタッピングネジ１６で固定する螺合部２１ｈが形成されている。
【００３２】
形状部材２１の天井部にはフック２１ｋが形成されており、このフック２１ｋに対して引張りコイルバネ３８の端部３８ａを天井孔部２１ｍから工具を入れることで引っ掛けるようにしている。
【００３３】
この形状部材２１には上記の第２ピン部材１１を相通するための孔部２１ｂ、１２ｂが穿設されるとともに、この孔部周りに第２カム面２１ｃを形成している。また、形状部材２１の孔部２１ｂ、２１ｂに上記の第２ピン部材１１を通過させた後に、ステンレス製のトーションバネ２７の輪部を相通した後に、図示のように手部品３０の孔部３０ａに第２ピン部材１１を通過させることで関節組立体１０に対して手部品３０を回動可能にしている。また、トーションバネ２７のアーム部２７ａは、形状部材２１の内面に、またアーム部２７ｂは、甲部品２３の内面側に位置するようにして、手組立体２０を常時図１に図示される初期位置に移動付勢するように構成されている。
【００３４】
手部品３０は、爪部材１２を待機位置から突出位置に移動させるように手組立体内で揺動軸支される揺動カム部材３５を支持する溝部３０ｄ、３０ｄを形成している。この揺動カム部材３５は軸体３５ａから延設される一端部３５ｂが第２カム面２１ｃに対して夫々摺接され、他端部３５ｃが爪部材１２の基部１２ｂに対して摺接するように構成されている。
【００３５】
一方、爪部材１２はフック１２ｋを基部１２ｂの上方から延設するとともに、４本の爪部１２ａを一体成型している。この爪部材１２は白色のナイロン樹脂製とするとともに、先端を丸くし、さらには大きな外力がかかると弾性変形により危険防止を図るように構成されている。
【００３６】
手部品３０にはこの爪部材１２を案内する部屋３０ｂと、各爪部１２ａを案内する溝部３０ｋが形成されている。また、甲部品３２には溝部３２ｃが図示のように形成され、溝部３０ｋと溝部３２ｃとにより孔部が穿設されている。また、手部品３０と甲部品３２とを図示のように上下に合わせた後に、２本のセルフタッピングネジ１６で固定し、爪部１２ａのみが出入りできるように構成されている。
【００３７】
手部品３０の孔部３０ａ周り近傍には摺接面３０ｃが、形状部材２１の第１カム面２２ｃに対応する位置に一対分形成されている。
【００３８】
図３（ａ）は、図１、２に図示された爪進退式玩具１の操作前の状態を示した正面図、（ｂ）は、爪進退式玩具１の操作後の状態を示した正面図である。
【００３９】
本図において、既に説明済みの構成または部品については同様の符号を附して説明を割愛すると、操作部材６を操作する前の初期位置では、破線図示の腱部材１４はピン１２、１５によって両端が保持されている。
【００４０】
この後に、操作部材６を押圧把持すると、腱部材１４に対して引張り力が作用するが、その途中部位を第１ピン部材９および第２ピン部材１１の下方と形状部材２１に固定された中間部材２８の上方を通過させていることから、その張り力が手組立体の手部品３０に伝達されることで図示のように手組立体が下方に回動する。これに伴い、関節組立体も下方に回動することとなる。
【００４１】
最後に、図４（ａ）は、操作前の爪部材１２の状態を示すために要部を破断して図示した動作説明のための正面図、（ｂ）は、操作後の爪部材１２を示すために要部を破断して図示した動作説明のための正面図である。
【００４２】
本図において、既に説明済みの構成または部品については同様の符号を附して説明を割愛すると、図４（ａ）において、カム部材２２のカム面２２ｃから手部品３０の摺動面３０ｃは離間している。また、爪部材１２は引張りコイルバネ３８の引張り力により後退位置に位置するとともに、揺動カム部材３５の他端部３５ｃは爪部材１２の基部１２b上に当接している。一方、揺動カム部材３５の軸体３５ａから延設される一端部３５ｂは、形状部材２１の第２カム面２１ｃ上に当接している。
【００４３】
この状態から、操作部材が押圧操作されることで、腱部材１４が上記のように引っ張られると、第１カム面２２ｃに手部品３０の摺接面３０ｃが図示のように移動して、下方に回動し始める。腱部材１４がさらに引っ張られると、形状部材２１の第２カム面２１ｃに当接した揺動カム部材３５の一端部３５ｂが矢印Ｄ６方向に移動されることで、他端部３５ｃが爪部材１２の基部１２ｂを押し出す状態になる結果、爪部１２ａが上記のように突出される。
【００４４】
また、操作を解除すると上記の各トーションバネの作用で初期位置に復帰する。
【図面の簡単な説明】
【００４５】
【図１】（ａ）は本発明の一実施形態である爪進退式玩具１の操作前の状態を示した正面図、（ｂ）は、爪進退式玩具１の操作後の状態を示した正面図である。
【図２】爪進退式玩具１の立体分解図である。
【図３】（ａ）は、図１、２に図示された爪進退式玩具１の操作前の状態を示した正面図、（ｂ）は、爪進退式玩具１の操作後の状態を示した正面図である。
【図４】（ａ）は、操作前の爪部材１２の状態を示すために要部を破断して図示した動作説明のための正面図、（ｂ）は、操作後の爪部材１２を示すために要部を破断して図示した動作説明のための正面図である。
【符号の説明】
【００４６】
１ 爪進退式玩具
２  基部材
３  把持部
４  溝部
５  環状部材
６  操作部材
７  スキンカバー
８  肉球
９  第１ピン部材
１０  関節組立体
１１  第２ピン部材
１２  爪部材
１３  ピン部材
１４  腱部材
１５  ピン部材
１６  ネジ
２０  手組立体
２１  形状部材
２２  カム部材
２５  トーションバネ
２７  トーションバネ
２８  中間部材
３０  手部品
３２  甲部品
３５  揺動カム部材
３８  引張りコイルバネ
【図１】
2007202971.tif 000003
【図２】
2007202971.tif 000004
【図３】
2007202971.tif 000005
【図４】
2007202971.tif 000006
【手続補正書】
【提出日】平成18年6月5日(2006.6.5)
【手続補正１】
【補正対象書類名】特許請求の範囲
【補正対象項目名】全文
【補正方法】変更
【補正の内容】
【特許請求の範囲】
【請求項１】
回動操作される操作部を有する基部材と、
前記基部材に対して関節組立体を介して軸支されるとともに、前記操作部の押圧操作により初期位置から回動位置に回動され、かつ前記操作部の押圧解除により前記回動位置から前記初期位置に回動されるように回動付勢される手組立体と、
複数の爪部が前記手組立体の内部に位置する待機位置と、前記複数の爪部が前記手組立体の先端から突出する突出位置との間で移動され、かつ前記待機位置に移動付勢される爪部材と、
前記手組立体の前記回動動作に連動して、前記爪部材を前記待機位置から前記突出位置に移動させるための連動手段と、
を備えることを特徴とする爪進退式玩具。
【請求項２】
前記複数の爪部の本数は少なくとも２本以上、または４本、あるいは５本に設定されることを特徴とする請求項１に記載の爪進退式玩具。
【請求項３】
前記関節組立体は、
形状部材と、
前記基部材との間で前記軸支する第１ピン部材と、
前記手組立体との間で前記軸支する第２ピン部材と、
前記形状部材の側面に形成された第１カム面と、
前記第２ピン部材周りに形成された第２カム面とから構成され、
前記連動手段は、
一端が前記操作部に接続され、他端が前記手組立体に接続されるとともに、前記第１ピン部材および前記第２ピン部材と前記形状部材に固定された中間部材との間を通過させることで、引張り力を前記手組立体に伝達可能にした腱部材と、
前記第１カム面に対して摺接するように前記第２ピン部材周りに前記手組立体側に形成される摺接面と、
一端部が前記第２カム面に対して摺接され、他端部が前記爪部材の基部に対して摺接することで、前記爪部材を前記待機位置から前記突出位置に移動させるように前記手組立体内で揺動軸支される揺動カム部材とから構成され、
前記操作部が押圧操作されると、前記腱部材を介して前記引張り力が前記手組立体に伝達されることで、前記第１カム面に対して前記摺接面が当接して、前記手組立体が前記回動位置に向けて回動されることを特徴とする請求項１または２に記載の爪進退式玩具。
【請求項４】
前記操作部がさらに押圧操作されると、前記腱部材を介して前記引張り力が前記手組立体に伝達されるとともに、前記揺動カム部材の前記一端部が前記第２カム面に摺接されて前記揺動カム部材が揺動され、前記他端部が前記爪部材の基部に対して摺接することで、前記爪部材が前記待機位置から前記突出位置に移動されることを特徴とする請求項３に記載の爪進退式玩具。
【請求項５】
前記第１カム面は前記形状部材の両側面に一体形成され、前記手組立体側に形成される前記摺接面は前記第１カム面に対応する位置に一対分形成されるとともに、
前記第２カム面は前記形状部材の前記第２ピン部材周りの両端部に一体形成され、前記一端部は前記第２カム面に対応する位置に一対分が一体形成され、さらに前記他端部も一対分が一体形成されることを特徴とする請求項３または４に記載の爪進退式玩具。
【請求項６】
前記手組立体に前記複数の爪部が突出する孔部を穿設し、前記手組立体と、前記関節組立体と、前記基部材の表面全体とを覆うとともに、その開口端が前記基部材に形成された溝部に嵌る環状部材を用いて固定されるように有底筒状に形成されるカバー部材を備えたことを特徴とする請求項１乃至５のいずれか１項に記載の爪進退式玩具。
【請求項７】
前記カバー部材に対してシリコンラバー製を含む肉球を、縫合を含む方法で固定したことを特徴とする請求項６に記載の爪進退式玩具。
【手続補正２】
【補正対象書類名】明細書
【補正対象項目名】００１０
【補正方法】変更
【補正の内容】
【００１０】
前記第１カム面は前記形状部材の両側面に一体形成され、前記手組立体側に形成される前記摺接面は前記第１カム面に対応する位置に一対分形成されるとともに、前記第２カム面は前記形状部材の前記第２ピン部材周りの両端部に一体形成され、前記一端部は前記第２カム面に対応する位置に一対分が一体形成され、さらに前記他端部も一対分が一体形成されることを特徴としている。
【手続補正３】
【補正対象書類名】明細書
【補正対象項目名】００１３
【補正方法】削除
【補正の内容】